(57)【要約】【課題】加圧運転がより適切に実行され得る技術を提供する。【解決手段】加圧装置は、閉鎖空間の内部気圧を増加させ、内部気圧を目標気圧に維持するための加圧装置である。その加圧装置は、閉鎖空間内に空気を供給する空気供給装置と、制御装置と、を備えている。制御装置は、空気供給装置を動作させて内部気圧を増加させ、内部気圧を目標気圧に維持するための加圧運転を開始するための開始条件が満たされる場合に、空気供給装置を動作させて加圧運転を開始し、加圧運転の開始後、内部気圧が目標気圧に到達した後で、閉鎖空間の外部気圧が内部気圧と等しくなる場合に、加圧運転を終了する。【選択図】図３
2020103441.tif 000002
【特許請求の範囲】
【請求項１】
閉鎖空間の内部気圧を増加させ、前記内部気圧を目標気圧に維持するための加圧装置であって、
前記閉鎖空間内に空気を供給する空気供給装置と、
制御装置と、を備えており、
前記制御装置は、
前記空気供給装置を動作させて前記内部気圧を増加させ、前記内部気圧を前記目標気圧に維持するための加圧運転を開始するための開始条件が満たされる場合に、前記空気供給装置を動作させて前記加圧運転を開始し、
前記加圧運転の開始後、前記内部気圧が前記目標気圧に到達した後で、前記閉鎖空間の外部気圧が前記内部気圧と等しくなる場合に、前記加圧運転を終了する、
加圧装置。
【請求項２】
閉鎖空間の内部気圧を増加させ、前記内部気圧を目標気圧に維持するための加圧装置であって、
前記閉鎖空間内に空気を供給する空気供給装置と、
制御装置と、を備えており、
前記制御装置は、
単位時間当たりの気圧の減少量が閾値量以上である場合を含む第１の場合に、前記空気供給装置を動作させて前記内部気圧を増加させ、前記内部気圧を前記目標気圧に維持するための加圧運転を開始する、
加圧装置。
【請求項３】
前記制御装置は、
前記単位時間当たりの気圧の減少量が前記閾値量以上である前記場合に、外部の報知手段に報知動作を実行させ、
前記報知手段において前記報知動作が実行された後で、前記加圧運転を開始するための開始指示が入力される前記第１の場合に、前記加圧運転を開始する、請求項２に記載の加圧装置。
【請求項４】
閉鎖空間の内部気圧を増加させ、前記内部気圧を目標気圧に維持するための加圧装置であって、
前記閉鎖空間内に空気を供給する空気供給装置と、
制御装置と、を備えており、
前記制御装置は、
外部から前記閉鎖空間が設けられている対象地域における今後の気圧の変動状況を含む予報気圧情報を取得し、
取得された前記予報気圧情報が前記対象地域の気圧が今後低下することを示す場合に、外部の報知手段に報知動作を実行させ、
前記報知手段において前記報知動作が実行された後で、前記空気供給装置を動作させて前記内部気圧を増加させ、前記内部気圧を前記目標気圧に維持するための加圧運転を開始するための開始指示が入力される第２の場合に、前記加圧運転を開始する、
加圧装置。
【請求項５】
前記制御装置は、前記加圧運転の開始後、前記内部気圧が前記目標気圧に到達した後で、前記閉鎖空間の外部気圧が前記内部気圧と等しくなる場合に前記加圧運転を終了する、請求項２から４のいずれか一項に記載の加圧装置。
【請求項６】
前記空気供給装置は、電力を消費して前記閉鎖空間内に空気を供給する装置であり、
前記制御装置は、前記加圧運転の開始後において、前記空気供給装置の消費電力の値が閾値電力以下である場合に、前記外部気圧が前記内部気圧と等しいと判断する、請求項１又は５に記載の加圧装置。
【請求項７】
閉鎖空間の内部気圧を増加させ、前記内部気圧を目標気圧に維持するための加圧装置であって、
前記閉鎖空間内に存在する人の体調に関係する数値を測定する体調測定装置と、
前記閉鎖空間内に空気を供給する空気供給装置と、
制御装置と、を備えており、
前記制御装置は、
前記体調測定装置によって測定される前記数値に応じて、前記空気供給装置を動作させて前記内部気圧を増加させ、前記内部気圧を前記目標気圧に維持するための加圧運転を実行する、
加圧装置。
【発明の詳細な説明】
【技術分野】
【０００１】
本明細書に開示の技術は、閉鎖空間の内部気圧を上昇させ、内部気圧を目標気圧に維持するための加圧装置に関する。
【背景技術】
【０００２】
特許文献１には、閉鎖空間の内部気圧を上昇させ、内部気圧を目標気圧に維持するための加圧装置が開示されている。加圧装置は、閉鎖空間内に空気を供給する空気供給装置と、制御装置とを備えている。制御装置は、所定の開始条件が満たされる場合に、空気供給装置を動作させて内部気圧を上昇させ、内部気圧を目標気圧に維持するための加圧運転を開始する。その際、制御装置は、加圧運転が開始される際の閉鎖空間の外部気圧を取得し、内部気圧が、取得された外部気圧の１．０１〜１．０３倍になるように、空気供給装置による閉鎖空間への空気の供給を実行する。
【０００３】
特許文献１の技術では、上記のように内部気圧を上昇させ、内部気圧が外部気圧の１．０１〜１．０３倍になるように制御することによって、閉鎖空間内に存在する人に対して、慢性痛及び気分障害の解消、健康の増進等の有利な作用を及ぼすことを図っている。
【先行技術文献】
【特許文献】
【０００４】
【特許文献１】特開２０１８−１１７２９号公報
【発明の概要】
【発明が解決しようとする課題】
【０００５】
特許文献１の技術では、加圧運転を開始するための開始条件の例として、外部気圧（又は外部気圧の変動値、又は予測外部気圧）が所定値に到達したことが挙げられているが、この他の開始条件や終了条件については特に考慮されていない。加圧運転がより適切に実行され得る制御の手法が求められている。
【０００６】
本明細書では、加圧運転がより適切に実行され得る技術を提供する。
【課題を解決するための手段】
【０００７】
本明細書が開示する一の加圧装置は、閉鎖空間の内部気圧を増加させ、前記内部気圧を目標気圧に維持するための加圧装置である。その加圧装置は、前記閉鎖空間内に空気を供給する空気供給装置と、制御装置と、を備えている。前記制御装置は、前記空気供給装置を動作させて前記内部気圧を増加させ、前記内部気圧を前記目標気圧に維持するための加圧運転を開始するための開始条件が満たされる場合に、前記空気供給装置を動作させて前記加圧運転を開始し、前記加圧運転の開始後、前記内部気圧が前記目標気圧に到達した後で、前記閉鎖空間の外部気圧が前記内部気圧と等しくなる場合に、前記加圧運転を終了する。
【０００８】
加圧運転の開始後、内部気圧が目標気圧に到達した後で、外部気圧が変動する等して内部気圧と外部気圧とが等しくなる場合がある。このような状況が生じた場合、空気供給装置による閉鎖空間内への空気の供給を継続しなくても、内部気圧を目標気圧に維持することができる。上記の構成によると、このような状況において、空気供給装置を無駄に動作させることなく停止させることができる。無駄な加圧運転が行われることを抑制することができる。従って、上記の構成を備える加圧装置によると、加圧運転がより適切に実行され得る。
【０００９】
本明細書が開示する他の一の加圧装置も、閉鎖空間の内部気圧を増加させ、前記内部気圧を目標気圧に維持するための加圧装置である。その加圧装置は、前記閉鎖空間内に空気を供給する空気供給装置と、制御装置と、を備えている。前記制御装置は、単位時間当たりの気圧の減少量が閾値量以上である場合を含む第１の場合に、前記空気供給装置を動作させて前記内部気圧を増加させ、前記内部気圧を前記目標気圧に維持するための加圧運転を開始する。
【００１０】
慢性痛や気分障害を患う人にとって、自身が存在する空間の気圧が所定気圧以下まで低下すると、心身に不利な影響が及ぶ可能性が高くなる。特に、気圧の急激な低下は、そのような人の心身に不利な影響を及ぼし易い。上記の構成によると、制御装置は、加圧運転が行われていない状況において、単位時間当たりの気圧の減少量が閾値量以上である場合を含む第１の場合に、加圧運転を開始することができる。閾値量を適切な値に設定しておくことにより、閉鎖空間内に存在する人の心身に不利な影響が及び始める前に加圧運転を開始させ得る。従って、上記の構成を備える加圧装置によると、加圧運転がより適切に実行され得る。ここで、「単位時間当たりの気圧の減少量」は、単位時間当たりの閉鎖空間の内部気圧の減少量と、単位時間当たりの閉鎖空間の外部気圧の減少量と、のうちの少なくとも一方を含む。
【００１１】
前記制御装置は、前記単位時間当たりの気圧の減少量が前記閾値量以上である前記場合に、外部の報知手段に報知動作を実行させ、前記報知手段において前記報知動作が実行された後で、前記加圧運転を開始するための開始指示が入力される前記第１の場合に、前記加圧運転を開始するようにしてもよい。
【００１２】
この構成によると、加圧装置は、外部の報知機器に報知動作を実行させることにより、例えば閉鎖空間内の人に対して、単位時間当たりの気圧の減少量が閾値量以上であることを報知することができる。そして、その後で入力される開始指示をトリガとして加圧運転を開始することができる。閉鎖空間内の人等による指示に基づいて加圧運転を開始することができる。
【００１３】
本明細書が開示する他の一の加圧装置も、閉鎖空間の内部気圧を増加させ、前記内部気圧を目標気圧に維持するための加圧装置である。その加圧装置は、前記閉鎖空間内に空気を供給する空気供給装置と、制御装置と、を備えている。前記制御装置は、外部から前記閉鎖空間が設けられている対象地域における今後の気圧の変動状況を含む予報気圧情報を取得し、取得された前記予報気圧情報が前記対象地域の気圧が今後低下することを示す場合に、外部の報知手段に報知動作を実行させ、前記報知手段において前記報知動作が実行された後で、前記空気供給装置を動作させて前記内部気圧を増加させ、前記内部気圧を前記目標気圧に維持するための加圧運転を開始するための開始指示が入力される第２の場合に、前記加圧運転を開始する。
【００１４】
上記の通り、慢性痛や気分障害を患う人にとって、自身が存在する空間の気圧が所定気圧以下まで低下すると、心身に不利な影響が及ぶ可能性が高くなる。この構成による場合も、対象地域の気圧が今後低下することが予想される場合に、閉鎖空間内に存在する人の心身に不利な影響が及び始める前に加圧運転を開始させ得る。また、加圧装置は、外部の報知機器に報知動作を実行させることにより、例えば閉鎖空間内の人に対して、対象地域の気圧が今後低下することが予想されることを報知することができる。そして、その後で入力される開始指示をトリガとして加圧運転を開始することができる。閉鎖空間内の人等による指示に基づいて加圧運転を開始することができる。従って、上記の構成を備える加圧装置によると、加圧運転がより適切に実行され得る。
【００１５】
前記制御装置は、前記加圧運転の開始後、前記内部気圧が前記目標気圧に到達した後で、前記閉鎖空間の外部気圧が前記内部気圧と等しくなる場合に前記加圧運転を終了するようにしてもよい。
【００１６】
この構成によると、無駄な加圧運転が行われることを抑制することができる。
【００１７】
前記空気供給装置は、電力を消費して前記閉鎖空間内に空気を供給する装置であってもよい。前記制御装置は、前記加圧運転の開始後において、前記空気供給装置の消費電力の値が閾値電力以下である場合に、前記外部気圧が前記内部気圧と等しいと判断してもよい。
【００１８】
空気供給装置が電力を消費して閉鎖空間内に空気を供給する装置である場合、外部気圧が変動する等して内部気圧と外部気圧とが等しくなると、空気を供給する量が少なくなることから、内部気圧と外部気圧とが異なっている場合に比べて消費電力が低下する。上記の構成によると、閾値電力を適切な値に設定しておくことにより、制御装置は、外部気圧を検出しなくても、内部気圧と外部気圧とが等しくなったことを適切に判断することができる。従って、上記の構成によると、加圧装置に、外部気圧を検出するための検出手段を別途設けていなくても、無駄な加圧運転が行われることを抑制することができる。
【００１９】
本明細書が開示する他の一の加圧装置も、閉鎖空間の内部気圧を増加させ、前記内部気圧を目標気圧に維持するための加圧装置である。その加圧装置は、前記閉鎖空間内に存在する人の体調に関係する数値を測定する体調測定装置と、前記閉鎖空間内に空気を供給する空気供給装置と、制御装置と、を備えている。前記制御装置は、前記体調測定装置によって測定される前記数値に応じて、前記空気供給装置を動作させて前記内部気圧を増加させ、前記内部気圧を前記目標気圧に維持するための加圧運転を実行する。
【００２０】
上記の構成によると、制御装置は、閉鎖空間内に存在する人の体調に関係する数値（例えば、心拍数、体温、発汗量、自律神経バランス値等）に応じて、加圧運転を実行することができる。具体的には、例えば、制御装置は、閉鎖空間内に存在する人の体調に関係する数値に応じて、加圧運転の開始及び終了のタイミング、加圧運転の際の目標気圧、昇圧速度、加圧時間等を決定した上で、決定内容に従って加圧運転を実行することができる。そのため、閉鎖空間内に存在する人の体調に応じた適切な加圧運転を実行し得る。従って、上記の構成を備える加圧装置によると、加圧運転がより適切に実行され得る。
【図面の簡単な説明】
【００２１】
【図１】第１実施例の加圧装置２の概要を示す図。
【図２】加圧装置２の制御系統の構成を示すブロック図。
【図３】第１実施例の加圧制御処理を示すフローチャート。
【図４】第２実施例の加圧制御処理を示すフローチャート。
【図５】第３実施例の加圧制御処理を示すフローチャート。
【図６】第４実施例の加圧制御処理を示すフローチャート。
【００２２】
（第１実施例）
（加圧装置の構成；図１、図２）
図１に示すように、本実施例の加圧装置２は、加圧対象の部屋７の内部気圧を上昇させ、内部気圧を目標気圧に維持するための装置である。部屋７は、扉及び窓が閉鎖されることによって閉鎖空間を形成する。部屋７は、例えば建物の寝室である。他の例では、部屋７は、閉鎖空間を形成可能な任意の空間であってもよく、特定の加圧ルーム、車や飛行機等の移動体等であってもよい。
【００２３】
加圧装置２は、部屋７の外に設けられる加圧ユニット１０と、部屋７から加圧ユニット１０を介して空気を排気するための排気管３０と、加圧ユニット１０から部屋７内に空気を供給するための給気管４０と、部屋７の中に設けられる室内リモコン５０とを備える。なお図１では部屋７の中に端末装置７０及びバイタルセンサ８０がさらに備えられている様子が図示されているが、本実施例では加圧装置２は端末装置７０及びバイタルセンサ８０を備えていない。端末装置７０については後述の第２、第３実施例で言及する。バイタルセンサ８０については後述の第４実施例で言及する。
【００２４】
排気管３０は、一端が部屋７と連通し、他端が加圧ユニット１０を通過して部屋７の外側に配置されて設けられている。給気管４０は、一端が部屋７の外側に配置され、他端が加圧ユニット１０を通過して部屋７と連通して設けられている。
【００２５】
加圧ユニット１０は、上記の給気管４０を介して部屋７の中に空気を供給し、部屋７の内部気圧を上昇させるためのユニットである。図１に示すように、加圧ユニット１０は、制御部１２と、メモリ１４と、空気供給装置１６と、ダンパ１８と、外部気圧センサ２０と、有線通信インターフェース２２と、無線通信インターフェース２３と、熱交換器２４とを備えている。以下ではインターフェースのことを「Ｉ／Ｆ」と記載する。
【００２６】
制御部１２は、メモリ１４に記憶されているプログラムに従って、後述の加圧制御処理（図３参照）を含む様々な処理を実行する。また、制御部１２は、メモリ１４、空気供給装置１６、ダンパ１８、外部気圧センサ２０、有線通信Ｉ／Ｆ２２、及び、無線通信Ｉ／Ｆ２３と電気的に接続されており、これらの各要素の動作を制御することができる。メモリ１４は、ＲＯＭ、ＲＡＭ、ハードディスク等によって構成される。メモリ１４は、様々なプログラムを記憶している。また、メモリ１４は、制御部１２が実行する処理に伴って取得される様々な情報を記憶する領域も有している。
【００２７】
空気供給装置１６は、電力を消費して駆動することによって空気を供給する装置である。本実施例では空気供給装置１６はファンである。空気供給装置１６は、加圧ユニット１０内を通過する給気管４０に介装されている。空気供給装置１６が駆動すると、部屋７の外から吸気された空気が、給気管４０を通って、部屋７内に供給される。
【００２８】
ダンパ１８は、部屋７内の空気を排気する排気管３０を開閉するための開閉弁である。ダンパ１８は、加圧ユニット１０内を通過する排気管３０に介装されている。ダンパ１８の開度を調整することにより、部屋７から排気管３０を介して排出される空気の量を調整することができる。
【００２９】
外部気圧センサ２０は、加圧対象の部屋７の外側の気圧（以下では外部気圧と呼ぶ）を検出するためのセンサである。
【００３０】
有線通信Ｉ／Ｆ２２は、室内リモコン５０等の外部機器と有線通信を行うためのＩ／Ｆである。無線通信Ｉ／Ｆ２３は、外部機器（例えば、部屋７内の端末装置７０や、外部サーバ等）と無線通信を行うためのＩ／Ｆである。なお、変形例では、加圧ユニット１０は、無線通信Ｉ／Ｆ２３を介して室内リモコン５０と無線通信を実行可能であってもよい。
【００３１】
熱交換器２４は、給気管４０内を通過する空気（即ち、外から部屋７内に供給される空気）と、排気管３０内を通過する空気（即ち、部屋７から外に排気される空気）との間で熱交換を行うための器具である。図１に示すように、熱交換器２４内では、給気管４０と排気管３０とが近接されて配置されている。熱交換器２４を備えることにより、気温が低い時期に外から部屋７に供給される空気を、暖房中の部屋７からの排気で予め加温すること、及び、気温が高い時期に外から部屋７に供給される空気を、冷房中の部屋７からの排気で予め冷却することが可能になる。
【００３２】
室内リモコン５０は、部屋７内に存在する利用者Ｕが、加圧装置２に関する各種操作（例えば、開始指示、終了指示等）を入力するための入力装置である。図２に示すように、室内リモコン５０は、表示部５２と、操作部５４と、内部気圧センサ５６と、制御部５８と、メモリ６０と、有線通信Ｉ／Ｆ６２とを備えている。
【００３３】
表示部５２は、様々な情報を表示するためのディスプレイである。操作部５４は、複数個のボタンを備える。部屋７内の利用者Ｕは、操作部５４を操作することによって様々な指示（例えば、開始指示、終了指示等）を入力することができる。内部気圧センサ５６は、部屋７の内部気圧を検出するためのセンサである。
【００３４】
制御部５８は、メモリ６０に記憶されているプログラムに従って、様々な処理を実行する。メモリ６０は、ＲＯＭ、ＲＡＭ、ハードディスク等によって構成される。メモリ６０は、様々なプログラムを記憶している。また、メモリ６０は、制御部５８が実行する処理に伴って取得される様々な情報を記憶する領域も有している。
【００３５】
有線通信Ｉ／Ｆ６２は、加圧ユニット１０と有線通信を行うためのＩ／Ｆである。なお、変形例では、室内リモコン５０は、加圧ユニット１０と無線通信を行うための無線通信Ｉ／Ｆを備えていてもよい。
【００３６】
（加圧制御処理；図３）
続いて、図３を参照して、本実施例の加圧装置２において、加圧ユニット１０の制御部１２が実行する加圧制御処理の内容を説明する。加圧制御処理は、部屋７に空気を供給して内部気圧を上昇させ、内部気圧を目標気圧に維持する加圧運転の実行を制御するための処理である。加圧ユニット１０及び室内リモコン５０の電源がオンされると、制御部１２は、図３の加圧制御処理を開始する。
【００３７】
Ｓ１０では、制御部１２は、室内リモコン５０に開始指示が入力されることを監視する。加圧運転が実行されていない間に、部屋７内に存在する利用者Ｕは、室内リモコン５０の操作部５４を操作して、加圧運転を開始するための開始指示を入力することができる。その場合、制御部１２は、有線通信Ｉ／Ｆ２２を介して、室内リモコン５０に開始指示が入力されたことを検出し、Ｓ１０でＹＥＳと判断してＳ１６に進む。
【００３８】
Ｓ１６では、制御部１２は、加圧運転を開始する。加圧運転は、予め決められた設定に従って行われる。設定は、目標気圧、昇圧速度、加圧時間を含む。目標気圧は、加圧による内部気圧の目標値である。目標気圧の値は、例えば、外部気圧（又は内部気圧）の値の１．０１倍〜１．０３倍の値に定められる。これに限られず、変形例では、目標気圧は、外部気圧（又は内部気圧）に所定値を加えた値に定めてもよいし、常に一定値に定めてもよい。昇圧速度は、内部気圧を目標気圧まで昇圧させるために要する時間である。加圧時間は、加圧運転を開始してから加圧運転を自動終了するまでの時間である。
【００３９】
具体的には、Ｓ１６では、制御部１２は、空気供給装置１６を動作させるとともに、ダンパ１８の開度を適宜調節する（例えば開度を小さくして部屋７内を密閉空間に近づける）。そして、制御部１２は、タイマのカウントを開始する。これにより、空気供給装置１６から給気管４０を介して部屋７内に供給され、部屋７の内部気圧が上昇を開始する。
【００４０】
続くＳ１７では、制御部１２は、部屋７の内部気圧が目標気圧に到達することを監視する。Ｓ１６で加圧運転が開始されると、上記の通り、部屋７の内部気圧が目標気圧に向けて上昇する。空気の供給がある程度続くと、部屋７の内部気圧が上記の目標気圧に到達する。制御部１２は、部屋７の内部気圧が目標気圧に到達する場合に、Ｓ１７でＹＥＳと判断する。なお、部屋７の内部気圧が目標気圧に到達すると、制御部１２は、その後、有線通信Ｉ／Ｆ２２を介して内部気圧の監視を行なうとともに、内部気圧が目標気圧に維持されるように、空気供給装置１６及びダンパ１８の動作を制御する。例えば、制御部１２は、ダンパ１８の開度を若干大きくする、空気供給装置１６からの空気の供給量を減らす等して、内部気圧が目標気圧に維持されるように適宜調節を行う。
【００４１】
上記のＳ１７でＹＥＳと判断される場合（即ち、部屋７の内部気圧が目標気圧に到達する場合）、続いて、制御部１２は、Ｓ１８、Ｓ２０、Ｓ２１の監視を行なう。制御部１２は、Ｓ１８、Ｓ２０、Ｓ２１のいずれかでＹＥＳと判断されるまで、Ｓ１８、Ｓ２０、Ｓ２１の各監視を実行する。
【００４２】
Ｓ１８では、制御部１２は、室内リモコン５０に終了指示が入力されることを監視する。加圧運転が実行されている間に（即ち、Ｓ２０、Ｓ２１でＹＥＳと判断される前に）、部屋７内に存在する利用者Ｕは、室内リモコン５０の操作部５４を操作して、加圧運転を終了するための終了指示を入力することができる。その場合、制御部１２は、有線通信Ｉ／Ｆ２２を介して、室内リモコン５０に終了指示が入力されたことを検出し、Ｓ１８でＹＥＳと判断してＳ２２に進む。
【００４３】
Ｓ２０では、制御部１２は、加圧時間が経過することを監視する。Ｓ１６で加圧運転が開始された後、Ｓ１８、Ｓ２１でＹＥＳと判断されることなく、所定の加圧時間が経過した場合、制御部１２は、Ｓ２０でＹＥＳと判断してＳ２２に進む。
【００４４】
Ｓ２１では、制御部１２は、動作中の空気供給装置１６の消費電力が、所定の閾値電力以下に低下することを監視する。閾値電力の値は、加圧運転開始時の空気供給装置１６の消費電力よりも低い値であり、当該値を下回ると空気供給装置１６による空気の供給量が非常に少なくなる値である。制御部１２は、加圧運転の開始後に、Ｓ１８及びＳ２０でＹＥＳと判断される前に、動作中の空気供給装置１６の消費電力が所定の閾値電力以下に低下したことを検出すると、Ｓ２１でＹＥＳと判断し、Ｓ２２に進む。
【００４５】
Ｓ２２では、制御部１２は、加圧運転を終了する。具体的には、Ｓ２２では、制御部１２は、空気供給装置１６を停止させるとともに、ダンパ１８の開度を適宜調節する（例えば開度を大きくして部屋７内の排気を促し、部屋７内を減圧する）。Ｓ２２を終えると、制御部１２は、再びＳ１０の監視に戻る。
【００４６】
なお、本実施例の加圧制御処理において、Ｓ１６で加圧運転が開始された後、内部気圧が目標気圧に到達する前に（即ちＳ１７でＹＥＳと判断される前に）室内リモコン５０において終了指示が入力される場合には、制御部１２は、その時点で加圧運転を終了する。その場合も、制御部１２は、加圧運転の終了後に、Ｓ１０の監視に戻る。
【００４７】
制御部１２は、加圧ユニット１０及び室内リモコン５０の電源がオンされている間、上記のＳ１０〜Ｓ２２の処理を繰り返し実行する。
【００４８】
以上、本実施例の加圧装置２の構成及び動作を説明した。上記の通り、本実施例では、制御部１２は、加圧運転の開始後、動作中の空気供給装置１６の消費電力が、所定の閾値電力以下に低下する場合（Ｓ２１でＹＥＳ）、加圧運転を停止させる（Ｓ２２）。本実施例の加圧装置２では、加圧運転の開始後、内部気圧が目標気圧に到達した後で、外部気圧が変動する等して内部気圧と外部気圧とが等しくなる場合がある。このような状況が生じた場合、空気供給装置１６による部屋７への空気の供給を継続しなくても、内部気圧を目標気圧に維持することができる。そして、本実施例では、空気供給装置１６は電力を消費して動作するため、内部気圧と外部気圧とが等しくなると、内部気圧と外部気圧とが異なっている場合に比べて消費電力の値が低下する。本実施例によると、閾値電力を適切な値に設定しておくことにより、制御部１２は、外部気圧センサ２０を用いて外部気圧を検出しなくても、内部気圧と外部気圧とが等しくなったことを適切に判断し、無駄な加圧運転が行われることを抑制することができる。即ち、本実施例では、加圧装置２の外部気圧センサ２０を省略してもよい。
【００４９】
本実施例と請求項の記載の対応関係を説明しておく。部屋７が「閉鎖空間」の一例である。制御部１２が「制御装置」の一例である。室内リモコン５０に開始指示が入力されること（Ｓ１０でＹＥＳの場合）が「開始条件が満たされる場合」の一例である。
【００５０】
（第１実施例の変形例）
図３のＳ２１において、制御部１２は、空気供給装置１６の消費電力が閾値電力以下に低下することを監視することに代えて、内部気圧センサ５６が検出する内部気圧と、外部気圧センサ２０が検出する外部気圧が等しくなることを監視してもよい。制御部１２は、内部気圧と外部気圧が等しくなったことを検出する場合に、Ｓ２１でＹＥＳと判断してＳ２２に進んでもよい。この変形例でも、制御部１２は、無駄な加圧運転が行われることを適切に抑制することができる。
【００５１】
（第２実施例）
第２実施例の加圧装置２について、第１実施例と異なる点を中心に説明する。本実施例の加圧装置２も、その基本的構成は第１実施例と共通する（図１、図２参照）。ただし、本実施例では、部屋７内に、端末装置７０が設けられる。端末装置７０は、例えば利用者Ｕが所持するスマートフォン等である。加圧ユニット１０は、無線通信Ｉ／Ｆ２３を介して、端末装置７０との間で無線通信を実行可能である。
【００５２】
また、本実施例では、図４に示すように、制御部１２が実行する加圧制御処理の内容の一部も第１実施例とは異なる。以下、図４を参照して、本実施例において、制御部１２が実行する加圧制御処理の内容を説明する。
【００５３】
本実施例では、加圧制御処理の開始後のＳ３０において、制御部１２は、単位時間当たりの内部気圧の減少量が閾値量以上になることを監視する。ここで、閾値量の値は、単位時間当たりの内部気圧の減少量が当該値を上回ると、内部気圧が急激に低下していると判断され得る値である。制御部１２は、内部気圧の変化を継続監視し、単位時間当たりの内部気圧の減少量が閾値量以上である場合に、Ｓ３０でＹＥＳと判断し、Ｓ３６に進む。Ｓ３６〜Ｓ４２の各処理は、図３のＳ１６〜Ｓ２２と同様の処理であるため、詳しい説明を省略する。
【００５４】
利用者Ｕが慢性痛や気分障害を患っている場合、利用者Ｕの周囲の空間の気圧が所定気圧以下まで低下すると、心身に不利な影響が及ぶ可能性が高くなる。特に、気圧の急激な低下は、そのような利用者Ｕの心身に不利な影響を及ぼし易い。本実施例では、制御部１２は、加圧運転が行われる前において、単位時間当たりの内部気圧の減少量が閾値量以上である場合（Ｓ３０でＹＥＳ）に、加圧運転を開始させることができる（Ｓ３６）。閾値量を適切な値に設定しておくことにより、部屋７内に存在する利用者Ｕの心身に不利な影響が及び始める前に加圧運転を開始させ得る。本実施例における単位時間当たりの内部気圧の減少量（Ｓ３０）が「単位時間当たりの気圧の減少量」の一例である。
【００５５】
（第２実施例の変形例１）
本実施例の第１の変形例について説明する。本変形例で実行される加圧制御処理は、一部の内容が上述の第２実施例とは異なる。本変形例では、Ｓ３０でＹＥＳと判断される場合に、制御部１２は、Ｓ３６ではなく、Ｓ３２に進む（図４の破線部参照）。
【００５６】
Ｓ３２では、制御部１２は、利用者Ｕが所持する端末装置７０に、無線通信Ｉ／Ｆ２３を介して報知信号を供給する。報知信号を取得した端末装置７０は、単位時間当たりの内部気圧の減少量が閾値量以上であることに関する報知動作を実行する。報知動作は、例えば、所定の報知メッセージを端末装置７０の表示部に表示させることを含んでもよい。
【００５７】
続くＳ３４では、制御部１２は、端末装置７０から、加圧運転を開始する指示である開始指示を取得することを監視する。端末装置７０において報知動作が実行された後、利用者Ｕは、端末装置７０に対して開始指示を入力することができる。その場合、端末装置７０は、加圧ユニット１０に対して開始指示を供給する。制御部１２は、無線通信Ｉ／Ｆ２３を介して、端末装置７０から供給された開始指示を取得する。この場合、制御部１２は、Ｓ３４でＹＥＳと判断し、Ｓ３６に進む。なお、制御部１２は、Ｓ３２で報知信号を供給した後、所定期間内に端末装置７０から開始指示を取得しなかった場合には、加圧制御処理をエラー終了し、加圧運転を開始することなく、再びＳ３０の監視に戻る。
【００５８】
Ｓ３６以降の各処理は、上述の第２実施例と同様であるため、詳しい説明を省略する。
【００５９】
この変形例によると、単位時間当たりの内部気圧の減少量が閾値量以上である場合に、端末装置７０に報知動作を実行させることができる（Ｓ３２）。そのため、端末装置７０を所持する利用者Ｕに、単位時間当たりの内部気圧の減少量が閾値量以上であることを報知することができる。そして、その後で端末装置７０から開始指示が取得されることをトリガとして加圧運転を開始することができる（Ｓ３４でＹＥＳ、Ｓ３６）。利用者Ｕの指示に基づいて加圧運転を開始することができる。
【００６０】
（第２実施例の変形例２）
Ｓ３０において、制御部１２は、単位時間当たりの内部気圧の減少量が閾値量以上になることを監視することに代えて、単位時間当たりの外部気圧の減少量が閾値量以上になることを監視してもよい。この場合、単位時間当たりの外部気圧の減少量が「単位時間当たりの気圧の減少量」の一例である。また、Ｓ３０において、制御部１２は、単位時間当たりの内部気圧の減少量と単位時間当たりの外部気圧の減少量とのうちの少なくとも一方が閾値量以上になることを監視してもよい。この場合、単位時間当たりの内部気圧の減少量と単位時間当たりの外部気圧の減少量の少なくとも一方が「単位時間当たりの気圧の減少量」の一例である。
【００６１】
（第２実施例の変形例３）
上記の第２実施例において、単位時間当たりの内部気圧の減少量（変形例では単位時間当たりの外部気圧の減少量）のことを「内部気圧の減少率（外部気圧の減少率）」と呼んでもよい。この場合、Ｓ３０において、制御部１２は、内部気圧の減少率（外部気圧の減少率）が所定の閾値減少率以上になることを監視してもよい。
【００６２】
（第２実施例の変形例４）
第２実施例においても、図４のＳ４１において、制御部１２は、空気供給装置１６の消費電力が閾値電力以下に低下することを監視することに代えて、内部気圧センサ５６が検出する内部気圧と、外部気圧センサ２０が検出する外部気圧が等しくなることを監視してもよい。制御部１２は、内部気圧と外部気圧が等しくなったことを検出する場合に、Ｓ４１でＹＥＳと判断してＳ４２に進んでもよい。この変形例でも、制御部１２は、無駄な加圧運転が行われることを適切に抑制することができる。
【００６３】
（第２実施例の変形例５）
また、上記の第２実施例において、Ｓ３６で加圧運転が開始された後、内部気圧が目標気圧に到達した場合（Ｓ３７でＹＥＳと判断された場合）、制御部１２は、Ｓ３８及びＳ４０の監視を行ない、Ｓ４１の監視を行なわないようにしてもよい。即ち、Ｓ４１の監視を省略してもよい。また、本変形例において、Ｓ３６で加圧運転が開始された後、Ｓ３７の監視を行なわずにＳ３８及びＳ４０の監視を行なってもよい。
【００６４】
（第２実施例の変形例６）
また、上記の第２実施例の変形例１において、制御部１２は、Ｓ３２において、端末装置７０に代えて、室内リモコン５０に報知信号を供給してもよい。その場合、報知信号を取得した室内リモコン５０は、単位時間当たりの内部気圧の減少量が閾値量以上であることに関する報知動作を実行してもよい。続くＳ３４では、制御部１２は、室内リモコン５０において、開始指示が入力されることを監視してもよい。
【００６５】
（第３実施例）
第３実施例の加圧装置２について、第１及び第２実施例と異なる点を中心に説明する。本実施例の加圧装置２も、その基本的構成は第１実施例と共通する（図１、図２参照）。ただし、本実施例では、第２実施例と同様に、部屋７内に、端末装置７０が設けられる。さらに、本実施例では、制御部１２は、無線通信Ｉ／Ｆ２３を介して、図示しない外部サーバから、加圧装置２が設置されている地域（以下では対象地域と呼ぶ）における今後の気圧の変動状況を含む予報気圧情報を随時取得している。このため、本実施例では、図５に示すように、制御部１２が実行する加圧制御処理の内容の一部が第１及び第２実施例とは異なる。以下、図５を参照して、本実施例において、制御部１２が実行する加圧制御処理の内容を説明する。
【００６６】
本実施例では、加圧制御処理の開始後のＳ５０において、制御部１２は、対象地域の気圧が今後低下することを示す予報気圧情報が取得されることを監視する。上記の通り、本実施例では、制御部１２は、外部サーバから、対象地域における今後の気圧の変動状況を含む予報気圧情報を随時取得している。制御部１２は、取得された予報気圧情報の内容を参照し、対象地域の気圧が今後低下することを示すと判定される場合に、Ｓ５０でＹＥＳと判断し、Ｓ５２に進む。
【００６７】
続くＳ５２では、制御部１２は、利用者Ｕが所持する端末装置７０に、無線通信Ｉ／Ｆ２３を介して報知信号を供給する。報知信号を取得した端末装置７０は、対象地域の気圧が今後低下すると予想されることに関する報知動作を実行する。報知動作は、例えば、所定の報知メッセージを端末装置７０の表示部に表示させることを含んでもよい。
【００６８】
続くＳ５４では、制御部１２は、端末装置７０から、加圧運転を開始する指示である開始指示を取得することを監視する。端末装置７０において報知動作が実行された後、利用者Ｕは、端末装置７０に対して開始指示を入力することができる。その場合、端末装置７０は、加圧ユニット１０に対して開始指示を供給する。制御部１２は、無線通信Ｉ／Ｆ２３を介して、端末装置７０から供給された開始指示を取得する。この場合、制御部１２は、Ｓ５４でＹＥＳと判断し、Ｓ５６に進む。なお、制御部１２は、Ｓ５２で報知信号を供給した後、所定期間内に端末装置７０から開始指示を取得しなかった場合には、加圧制御処理をエラー終了し、加圧運転を開始することなく、再びＳ５０の監視に戻る。
【００６９】
Ｓ５６〜Ｓ６２の各処理は、第１実施例のＳ１６〜Ｓ２２と同様であるため、詳しい説明を省略する。
【００７０】
上記の通り、上記の通り、慢性痛や気分障害を患う人にとって、自身が存在する空間の気圧が所定気圧以下まで低下すると、心身に不利な影響が及ぶ可能性が高くなる。本実施例では、制御部１２は、対象地域の気圧が今後低下することが予想される場合（Ｓ５０でＹＥＳ）に、部屋７内に存在する利用者Ｕの心身に不利な影響が及び始める前に加圧運転を開始させ得る（Ｓ５６）。
【００７１】
また、本実施例によると、対象地域の気圧が今後低下することが予想される場合（Ｓ５０でＹＥＳ）に、端末装置７０に報知動作を実行させることができる（Ｓ５２）。そのため、端末装置７０を所持する利用者Ｕに、対象地域の気圧が今後低下することが予想されることを報知することができる。そして、その後で端末装置７０から開始指示が取得されることをトリガとして加圧運転を開始することができる（Ｓ５４でＹＥＳ、Ｓ５６）。利用者Ｕの指示に基づいて加圧運転を開始することができる。
【００７２】
（第３実施例の変形例１）
第３実施例においても、図５のＳ６１において、制御部１２は、空気供給装置１６の消費電力が閾値電力以下に低下することを監視することに代えて、内部気圧センサ５６が検出する内部気圧と、外部気圧センサ２０が検出する外部気圧が等しくなることを監視してもよい。制御部１２は、内部気圧と外部気圧が等しくなったことを検出する場合に、Ｓ６１でＹＥＳと判断してＳ６２に進んでもよい。この変形例でも、制御部１２は、無駄な加圧運転が行われることを適切に抑制することができる。
【００７３】
（第３実施例の変形例２）
また、上記の第３実施例において、Ｓ５６で加圧運転が開始された後、内部気圧が目標気圧に到達した場合（Ｓ３７でＹＥＳと判断された場合）、制御部１２は、Ｓ５８及びＳ６０の監視を行ない、Ｓ６１の監視を行なわないようにしてもよい。即ち、Ｓ６１の監視を省略してもよい。また、本変形例において、Ｓ５６で加圧運転が開始された後、Ｓ５７の監視を行なわずにＳ５８及びＳ６０の監視を行なってもよい。
【００７４】
（第３実施例の変形例３）
また、上記の第３実施例において、制御部１２は、Ｓ５２において、端末装置７０に代えて、室内リモコン５０に報知信号を供給してもよい。その場合、報知信号を取得した室内リモコン５０は、対象地域の気圧が今後低下すると予想されることに関する報知動作を実行してもよい。続くＳ５４では、制御部１２は、室内リモコン５０において、開始指示が入力されることを監視してもよい。
【００７５】
（第４実施例）
第４実施例の加圧装置２について、第１実施例と異なる点を中心に説明する。図１、図２に示すように、第４実施例の加圧装置２は、部屋７の中にバイタルセンサ８０を備えている。バイタルセンサ８０は、部屋７内に存在する利用者Ｕの体調に関係する数値（例えば、心拍数、体温、発汗量、自律神経バランス値等）を測定する装置である。バイタルセンサ８０も、加圧ユニット１０の有線通信Ｉ／Ｆ２２と有線接続されており、加圧ユニット１０との間で有線通信を実行することができる。変形例では、バイタルセンサ８０は、加圧ユニット１０との間で無線通信を実行可能であったり、室内リモコン５０を介して加圧ユニット１０との通信を実行可能であってもよい。本実施例では、制御部１２は、バイタルセンサ８０によって測定される数値（即ち、利用者Ｕの体調に関係する数値）を常時監視している。
【００７６】
本実施例では、加圧装置２がバイタルセンサ８０を備えるため、制御部１２が実行する加圧制御処理の内容も第１実施例とは異なる。以下、図６を参照して、本実施例において、制御部１２が実行する加圧制御処理の内容を説明する。
【００７７】
本実施例では、加圧制御処理が開始されると、Ｓ７０において、制御部１２は、現時点の部屋７内の利用者Ｕの体調が、加圧運転を開始するための所定の開始条件を満たすことを監視する。具体的には、制御部１２は、バイタルセンサ８０から取得される利用者Ｕの体調に関係する数値が、所定の開始条件を満たす数値であるか否かを判断する。開始条件は利用者Ｕ毎に任意に定められていてもよい。例えば、開始条件は、心拍数、体温、発汗量のいずれか一つが所定の閾値範囲外の数値であること、自律神経バランス値が、交感神経が副交感神経を上回る状態（即ちストレスが過大である状態）を示すこと等であってもよい。部屋７内に利用者Ｕが存在し、かつ、バイタルセンサ８０から取得される利用者Ｕの体調に関係する数値が、所定の開始条件を満たす数値である場合、制御部１２は、Ｓ７０でＹＥＳと判断し、Ｓ７４に進む。
【００７８】
続くＳ７４では、制御部１２は、バイタルセンサ８０から取得される利用者Ｕの体調に関係する数値を基準として、加圧運転を実行する際の設定（具体的には目標気圧、昇圧速度、加圧時間）を決定する。
【００７９】
続くＳ７６では、制御部１２は、Ｓ７４で決定された設定に従って加圧運転を開始する。
【００８０】
加圧運転の開始後、Ｓ７７において、制御部１２は、部屋７内の利用者Ｕの体調が、加圧運転を終了するための所定の終了条件を満たすことを監視する。終了条件も、利用者Ｕ毎に任意に定められていてもよい。例えば、終了条件は、心拍数、体温、発汗量のいずれか一つが所定の閾値範囲内の数値であること、自律神経バランス値が、副交感神経が交感神経を上回る状態（即ちストレスが少ない状態）を示すこと等であってもよい。バイタルセンサ８０から取得される利用者Ｕの体調に関係する数値が、所定の終了条件を満たす数値である場合、制御部１２は、Ｓ７７でＹＥＳと判断し、Ｓ８２に進む。
【００８１】
Ｓ８２では、制御部１２は、加圧運転を終了する。Ｓ８２を終えると、制御部１２は、再びＳ７０の監視に戻る。
【００８２】
上記の通り、本実施例では、制御部１２は、部屋７内に存在する利用者Ｕの体調に関係する数値に応じて、加圧運転の開始タイミング及び終了タイミングを決定することができる（Ｓ７０、Ｓ７７）。また、制御部１２は、利用者Ｕの体調に関係する数値に応じて、加圧運転を実行する際の設定を決定することができる（Ｓ７４）。従って、本実施例の加圧装置２によると、部屋７内に存在する利用者Ｕの体調に応じた適切な加圧運転を実行し得る。本実施例のバイタルセンサ８０が「体調測定装置」の一例である。
【００８３】
（第４実施例の変形例１）
Ｓ７０において、制御部１２は、現時点の部屋７内の利用者Ｕの体調が、加圧運転を開始するための所定の開始条件を満たすことを監視することに代えて、第１実施例と同様に、室内リモコン５０に開始指示が入力されることを監視してもよい（図３のＳ１０参照）。この場合も、Ｓ７４において、制御部１２は、制御部１２は、バイタルセンサ８０から取得される利用者Ｕの体調に関係する数値を基準として、加圧運転を実行する際の設定を決定してもよい。
【００８４】
（第４実施例の変形例２）
また、Ｓ７０において、制御部１２は、現時点の部屋７内の利用者Ｕの体調が、加圧運転を開始するための所定の開始条件を満たすことを監視することに代えて、第２実施例と同様に、単位時間当たりの内部気圧（又は／及び外部気圧）の減少量が閾値量以上になることを監視してもよい（図４のＳ３０参照）。この場合も、Ｓ７４において、制御部１２は、バイタルセンサ８０から取得される利用者Ｕの体調に関係する数値を基準として、加圧運転を実行する際の設定を決定してもよい。
【００８５】
（第４実施例の変形例３）
同様に、Ｓ７０において、制御部１２は、現時点の部屋７内の利用者Ｕの体調が、加圧運転を開始するための所定の開始条件を満たすことを監視することに代えて、第３実施例と同様に、対象地域の気圧が今後低下することを示す予報気圧情報が取得されることを監視してもよい（図５のＳ５０参照）。この場合も、Ｓ７４において、制御部１２は、制御部１２は、バイタルセンサ８０から取得される利用者Ｕの体調に関係する数値を基準として、加圧運転を実行する際の設定を決定してもよい。
【００８６】
（第４実施例の変形例４）
Ｓ７６で加圧運転が開始された後、制御部１２は、Ｓ７７の処理に代えて、図３のＳ１７、Ｓ１８、Ｓ２０、及び、Ｓ２１と同様の監視を行なってもよい。また、本変形例において、Ｓ２１と同様の監視を省略してもよい。さらに、本変形例においてＳ２１と同様の監視を省略する場合、Ｓ１７と同様の監視も省略してもよい。
【００８７】
以上、実施例について詳細に説明したが、これらは例示に過ぎず、特許請求の範囲を限定するものではない。特許請求の範囲に記載の技術には、以上に例示した具体例を様々に変形、変更したものが含まれる。
【００８８】
（変形例１）空気供給装置１６は、ファンに限られず、電動空気ポンプであってもよい。また空気供給装置１６は電力を消費して空気を供給する装置に限られず電力を動力源としない任意の空気供給装置を含んでもよい。
【００８９】
（変形例２）図３〜図６の加圧制御処理は、室内リモコン５０の制御部５８によって実行されてもよい。図３〜図６の加圧制御処理は、加圧ユニット１０の制御部１２と室内リモコン５０の制御部５８が協働することによって実行されてもよい。室内リモコン５０や端末装置７０が外部サーバから予報気圧情報を取得して、制御部１２や制御部５８と協働して加圧制御処理が実行されてもよい。
【００９０】
（変形例３）上記の第１実施例では、制御部１２は、室内リモコン５０に開始指示が入力されることを開始条件として（図３のＳ１０でＹＥＳ）、加圧運転を開始する（Ｓ１６）。しかしながら、第１実施例における加圧運転の開始条件はこれに限られない。第１実施例においても、上記の第２〜第４実施例と同様の開始条件が満たされる場合に加圧運転を開始するようにしてもよい。即ち、図３のＳ１０の処理を、図４のＳ３０（若しくはＳ３０〜Ｓ３４）、図５のＳ５０〜Ｓ５４、又は、図６のＳ７０に置き換えてもよい。
【００９１】
本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【００９２】
２：加圧装置
７：部屋
１０：加圧ユニット
１２：制御部
１４：メモリ
１６：空気供給装置
１８：ダンパ
２０：外部気圧センサ
２２：有線通信Ｉ／Ｆ
２３：無線通信Ｉ／Ｆ
２４：熱交換器
３０：排気管
４０：給気管
５０：室内リモコン
５２：表示部
５４：操作部
５６：内部気圧センサ
５８：制御部
６０：メモリ
６２：有線通信Ｉ／Ｆ
７０：端末装置
８０：バイタルセンサ
Ｕ：利用者
【図１】
2020103441.tif 000003
【図２】
2020103441.tif 000004
【図３】
2020103441.tif 000005
【図４】
2020103441.tif 000006
【図５】
2020103441.tif 000007
【図６】
2020103441.tif 000008